【事件の表示】
　特願２０００−１６３５０７「光ファイバケーブル」拒絶査定不服審判事件〔平成１３年１２月１４日出願公開、特開２００１−３４３５６７〕について、次のとおり審決する。
【結　論】
　本件審判の請求は、成り立たない。
【理　由】
１．手続の経緯
　本願は、平成１２年５月３１日の出願であって、原審において平成１５年９月２９日付けで拒絶理由通知がなされ、同年１２月２日付けで意見書及び手続補正書が提出され、さらに平成１６年３月１６日付けで最後の拒絶理由通知がなされ、同年５月２１日付けで意見書及び手続補正書が提出されたところ、同年７月１２日付けで拒絶査定がなされ、これに対し、同年８月１９日に拒絶査定に対する審判請求がなされ、平成１９年１月１５日に当審において上記平成１６年５月２１日付けの手続補正が却下され、同日付で最後の拒絶理由が通知され、平成１９年３月１５日付けで意見書及び手続補正書が提出されたものである。
　　
２．平成１９年３月１５日付の手続補正についての補正却下の決定
［補正却下の決定の結論］
　平成１９年３月１５日付の手続補正（以下、「本件補正」という。）を却下する。
［理由］
２．１　本件補正後の本件発明について 
 　本件補正は、補正前の特許請求の範囲の記載の内、
「【請求項１】　光ファイバテープ心線にヤーンが集合され、その周囲にシースが被覆されてなる光ファイバケーブルであって、上記ヤーンは、１２０〜１６０度の範囲で加熱処理することにより、収縮率が０．５％以下のものとされることを特徴とする光ファイバケーブル。」とあるのを、
　　
「【請求項１】　光ファイバテープ心線にヤーンが集合され、その周囲にシースが被覆されてなる光ファイバケーブルであって、上記ヤーンは、１２０〜１６０度の範囲で加熱処理することにより、収縮率が０．５％以下のものとされ、
かつ吸水性樹脂粉末を付着することにより吸水性をも有するものである
　
　上記補正は、補正前の請求項１に係る「ヤーン」が、「吸水性樹脂粉末を付着することにより吸水性をも有するものであること」を限定するものであって、特許法第１７条の２第４項第２号に規定された特許請求の範囲の減縮を目的とするものに該当する。
　
　そこで、本件補正後の請求項１に記載された発明（以下、「本件補正発明」という。）が特許出願の際独立して特許を受けることができるものであるか（特許法第１７条の２第５項において準用する同法第１２６条第５項の規定に適合するか）について以下に検討する。 
 
２．２　引用文献の記載事項 
　
（１）原査定の理由で引用された特開昭６２−１９４２０８号公報（以下、「引用文献」という。）には、図面と共に次の事項が記載されている。
　
ａ．「〔従来の技術〕
　第３図に従来の光ファイバケーブルの断面構造の例を示す。１は光ファイバ、２は補強用高強度繊維からなる抗張力繊維または緩衝層、３は外被を構成する高分子材料である。従来は非金属を目的とした光ファイバケーブルの外被材料としてはナイロン、ポリエチレン、塩化ビニルなどの熱可塑性樹脂が用いられている。 」（２頁右上欄１行〜８行）
　
ｂ．「〔発明が解決しようとする問題点〕
　従来の各種耐熱性樹脂を外被材料として用いる光ファイバケーブルでは、これら外被材料たょうの押出成形の際、押出口より引き落される成形温度が高く、しかも押出し後、室温に急冷されるため、ケーブルの長さ方向に分子配向した状態で固化してしまい、押出時の残留歪が残り易い。従って長期的にヒートサイクルを行ったり、連続的に高温下にさらした場合には残留歪が解放され、これら樹脂で構成された外被が、とくにケーブルの長さ方向に大きな収縮をおこす。たとえばＦＥＰでは、長時間高温下にさらしたことにより約２％の収縮、ＰＦＡでは約３％、ＰＰＳ、ＦＡＩ、ＰＥＳ、ＰＩでそれぞれ約１％、１．８％、２％、３％の収縮をおこすという結果が得られている。この収縮による光ファイバケーブルへの影響は、ヒートサイクルを行うことによって顕著にあらわれる。」（２頁左下欄７行〜同頁右下欄５行）
　
ｃ．「まず第３図に示す従来の構造の光ファイバケーブルにおいて、２の補強用高強度繊維としてアラミド繊維を、また３の外被としてＰＦＡ樹脂を用い、一定時間、−例として１５０℃×４８時間加熱したところ、押出時のＰＦＡ樹脂の残留歪が解放され、外被が１．８％収縮をおこした。この収縮は内部の構成材料にも影響を与え、アラミド繊維が０．３％収縮していた。」（３頁右上欄１３行〜２０行）　
　
　また、第３図によれば、
ｄ．「光ファイバ単心線にヤーンが集合され、その周囲にシースが被覆されてなる光ファイバケーブル」が見て取れる。
　
　したがって、上記ａ〜ｄによれば、引用文献には、
「光ファイバ単心線にヤーンが集合され、その周囲にシースが被覆されてなる光ファイバケーブルであって、上記ヤーンは、１５０度で加熱処理することにより、収縮率が０．３％である光ファイバケーブル」（以下、「引用発明」という。）が記載されていると認める。
　
２．３　対比・判断 
　本件補正発明と引用発明とを対比すると、両者は、
「光ファイバ心線にヤーンが集合され、その周囲にシースが被覆されてなる光ファイバケーブルであって、上記ヤーンは、１５０度で加熱処理することにより、収縮率が０．３％である光ファイバケーブル」の点で一致し、以下の点で相違している。
　
【相違点１】：本件補正発明は、光ファイバ心線が、テープ心線であるのに対して、引用発明は、単心線である点。
　
【相違点２】：本件補正発明は、上記ヤーンが、吸水性樹脂粉末を付着することにより吸水性を有するものであるのに対して、引用発明は、上記ヤーンが、吸水性を有する旨記載されていない点。　　
　
　上記相違点について検討する。
　
　【相違点１】について
　一般に、光ファイバケーブルにおいて、テープ状の心線を用いたものは、単心線を用いたものと同様、周知慣用であるから（例えば、特開平１１−１８３７６４号公報（【従来の技術】）、特開平１１−１６０５９３号公報（【請求項１】）等参照）、引用発明の光ファイバケーブルにおいて、単心線に替えてテープ心線を用いてなるものは当業者が容易に想到し得る。
　
　【相違点２】について
　光ファイバケーブルは、通信ケーブルや電力ケーブルに用いられる場合に、通信ケーブルや電力ケーブルの破損箇所からケーブル内に侵入して来る水の長手方向への走水を防止するため、「ヤーン」には、吸水性樹脂粉末を付着することにより吸水性が賦与された「吸水性ヤーン」が用いられることは周知であるから（例えば、特開平２−８６０１１号公報、特開昭６２−２５９３０５号公報、特開昭６２−２０８５０７号公報、特開平８−６０４４０号公報（【０００２】）、特開平６−３０９９５１号公報（【００３１】）等参照）、引用発明の光ファイバケーブルにおいても、通信ケーブルや電力ケーブルに用いられる場合を想定し、その走水防止のため、吸水性樹脂粉末を付着することにより吸水性を有する「吸水性ヤーン」を用いることは当業者が容易に想到し得る。
　　　
　そして、本件補正発明の効果は、引用文献及び周知技術から当業者が当然予測し得る範囲のものである。
　                                 
　したがって、本件補正発明は、引用文献に記載された発明及び周知技術に基いて、当業者が容易に発明をすることができたものであるから、特許法第２９条第２項の規定により特許出願の際独立して特許を受けることができないものである。　
　
２．４　むすび 
 　以上のとおり、本件補正は、特許法第１７条の２第５項で準用する同法第１２６条第５項の規定に違反するから、特許法第１５９条第１項で読み替えて準用する特許法第５３条第１項の規定により却下すべきものである。 
 　 
３．本件発明について 
　平成１９年３月１５日付の手続補正は、上記のとおり却下されたので、本件の請求項に係る発明は、平成１５年１２月２日付の手続補正書により補正された明細書及び図面の記載からみて、その特許請求の範囲の請求項１及び２に記載された事項により特定されるとおりのものであると認められるところ、その請求項１に係る発明（以下、「本件発明」という）は、以下のとおりである。 
　
「【請求項１】　光ファイバテープ心線にヤーンが集合され、その周囲にシースが被覆されてなる光ファイバケーブルであって、上記ヤーンは、１２０〜１６０度の範囲で加熱処理することにより、収縮率が０．５％以下のものとされることを特徴とする光ファイバケーブル。」
　 
３．１　引用例記載の発明
　原査定の理由に引用された引用文献及びその記載事項は、前記「２．２」に記載したとおりである。
　
３．２　対比・判断 
　本件補正発明は、本件発明の請求項１に係る「ヤーン」について、「吸水性樹脂粉末を付着することにより吸水性をも有するものであること」を限定するものに相当するから、本件発明の構成要件を全て含み、さらにその構成要件の一部を限定・具体化したものに相当する本件補正発明が、前記「２．３」に記載したとおり、引用文献に記載された発明及び周知技術に基いて、当業者が容易に発明をすることができたものであるから、本件発明も、略同様の理由により引用文献に記載された発明及び周知技術に基いて、当業者が容易に発明をすることができたものである。 
 　 
３．３　むすび 
　以上のとおり、本件発明は、引用文献に記載された発明及び周知技術に基いて当業者が容易に発明をすることができたものであるから、特許法第２９条第２項の規定により特許を受けることができない。
 　よって、結論のとおり審決する。